(57)【特許請求の範囲】
【請求項１】
軒先取付部と、この軒先取付部から屋外側に突出された軒樋支持腕と、この軒樋支持腕の先端に設けられた屋外側耳保持部と、この屋外側耳保持部より屋内側に設けられた屋内側耳保持部とからなる軒樋吊具において、
前記屋外側耳保持部の屋内側に第三製品を取り付ける係合保持部が設けられ、この係合保持部は、前記屋外側耳保持部の屋内側の軒樋支持腕に一体に立設された突出片と、この突出片の先端に設けられたスリット状の切欠部とからなり、この切欠部の形状は切欠部両側が相対して円弧状に突出した曲状になされ、奥に行くほど狭められ、その奥は曲面状の間隙の距離より大きくなされた略円形状の切欠とされていることを特徴とする軒樋吊具。
【発明の詳細な説明】
【０００１】
【発明の属する技術分野】
本発明は、軒先に取着固定されて軒樋を保持する軒樋吊具に関する。
【０００２】
【従来の技術】
従来、軒樋吊具としては、実開昭６２−４０１２０号公報に記載あるように、軒先取付部から屋外側に突出された軒樋支持腕と、この軒樋支持腕の先端に設けられた屋外側耳保持部と、この屋外側耳保持部より屋内側に設けられた屋内側耳保持部とからなるものがある。この軒樋吊具は、軒樋吊具の屋外側耳保持部で軒樋の屋外側耳を保持し、屋内側耳保持部に屋内側耳を保持する簡単な構造になっているので、軒樋の軒樋吊具への取付が簡単にできる。
【０００３】
【発明が解決しようとする課題】
しかしながら、近年、施主、施工者の好みで、住宅の側面や軒先等に、飾り部材（家紋、標識等）を着けたり、又、住宅に美観を考慮し、這樋が下から見えないようにするため隠し板を軒先に着けることがある。この飾り部材や隠し板を取り付けるときは、軒樋や軒樋吊具の下を潜らせて、鼻隠し板に取り付けることができる部品を使う必要があり、非常に面倒で手間がかかり、コストアップになるという問題があった。
【０００４】
本発明の目的は、上記問題に着目してなされたもので、飾り部材や隠し板を軒樋吊具直接に、簡単に取り付けることができる軒樋吊具を提供するものである。
【０００５】
【課題を解決するための手段】
請求項１記載の発明は、軒先取付部と、この軒先取付部から屋外側に突出された軒樋支持腕と、この軒樋支持腕の先端に設けられた屋外側耳保持部と、この屋外側耳保持部より屋内側に設けられた屋内側耳保持部とからなる軒樋吊具において、前記屋外側耳保持部の屋内側に第三製品を取り付ける係合保持部が設けられ、この係合保持部は、前記屋外側耳保持部の屋内側の軒樋支持腕に一体に立設された突出片と、この突出片の先端に設けられたスリット状の切欠部とからなり、この切欠部の形状は切欠部両側が相対して円弧状に突出した曲状になされ、奥に行くほど狭められ、その奥は曲面状の間隙の距離より大きくなされた略円形状の切欠とされているものである。
【０００６】
本発明における第三製品とは、軒先に取り付けるものであって、飾り部材や隠し板等をいう。
【０００７】
即ち、請求項２記載の発明は、係合保持部が、屋外側耳保持部の屋内側の軒樋支持腕に立設された突出片と、この突出片の先端に設けられた切欠部とからなるものである。
【０００８】
本発明の軒樋吊具の材質は、軽量、防錆の点で合成樹脂が使用される。合成樹脂の中でも、可撓性の点で、ポリカ−ボネ−ト樹脂が好ましい。本発明の軒樋吊具は射出成形法で製造すると、屋外側耳保持部、軒樋支持腕、軒先取付部及び係合保持部が一体成形できる。
【０００９】
本発明において、突出片の先端の切欠部の形状はスリット状とされ、その切欠部両側が相対して円弧状に突出した曲状になされ、奥に行くほど狭められ、その奥に曲面状の間隙の距離より大きくなされた略円形状の切欠となされ、第三製品の差込部の径を上記間隙よりほんの僅かに大きくしておくと、飾り部材等の差込部を切欠部に差し込み易く、切欠部の奥部に差し込むと、飾り部材等の差込部が抜けにくくなるので、好適である。
【００１０】
（作用）請求項１記載の本発明は、屋外側耳保持部の屋内側に、係合保持部が設けられているから、屋外側耳保持部に軒樋の屋外側耳を取り付けた後でも、屋外側耳保持部の屋内側にある係合保持部に飾り部材等の第三製品を係合保持させて、取り付けることができる。
【００１１】
また、係合保持部が、屋外側耳保持部の屋内側の軒樋支持腕に立設された突出片と、この突出片の先端に設けられた切欠部とからなるから、飾り部材等の第三製品の差込部を棒状にし、この差込部を、突出片の切欠部の奥部まで、しっかりと差し込むことにより、飾り部材等の第三製品を軒樋吊具に簡単に係合保持させることができる。
【００１２】
更に、この切欠部の形状が、両側を相対して円弧状に突出している曲面状にし、奥に行くほど狭め、その奥にこの曲面状の間隙の距離より大きい径の略円形状の切欠にしているから、曲面状の間隙の距離を飾り部材の第三製品の差込部の幅より僅かに狭くした形状にすると、屋外側耳保持部に軒樋の屋外側耳を取り付けた後に、飾り部材等の第三製品の棒状になっている差込部を、突出片の切欠部に差し込んで、間隙の狭くなった部分を力強く押し込んで、奥迄しっかりと差し込むことにより、飾り部材の第三製品を軒樋吊具で係合保持することができると同時に、奥部まで差し込まれた飾り部材の第三製品の差込部は、間隙から抜けることなく、しっかりと取り付けることができる。
【００１３】
【発明の実施の形態】
本発明の一実施例を図１及び図２に基づいて説明する。
図１の（イ）は軒樋吊具の斜視説明図、（ロ）は軒樋吊具の断面図、（ハ）は（イ）のＸ部拡大説明図、図２の（イ）は飾り部材と軒樋吊具の斜視説明図、（ロ）は飾り部材を軒樋吊具に取り付けた状態を示す斜視説明図である。
図１に示すように、Ａはポリカ−ボネ−ト樹脂製の軒樋吊具であり、この軒樋吊具Ａは軒先取付部１と軒樋支持腕２とからなり、射出成形法で一体に作られている。
【００１４】
軒先取付部１は板状体で、上部の両端部に１個ずつと下端部中央部に１個の取付孔１１が設けられている。又、軒樋支持腕２は、軒先取付部１のほぼ中央上端部より屋外側に向けて突出された棒状体である。そして、屋外側に屋外側耳保持部２１と屋内側に屋内側耳保持部２２が設けられている。又、屋外側耳保持部２１は、軒樋支持腕２の先端が上向きに突出されたものである。
【００１５】
又、この屋外側耳保持部２１の屋内側に、係合保持部２５が設けられている。この係合保持部２５は、屋外側耳保持部２１の屋内側の軒樋支持腕２に立設された突出片２３と、この突出片の先端に設けられた切欠部２４とからなっている。この切欠部２４は、切欠部２４の上端部の両側が相対して円弧状に突出した曲面状になされた開口部２６と、奥に行くほど狭められた間隙２７と、この間隙２７の奥に曲面状の間隙の距離より大きくなされた略円形状の奥部２８とに分かれている。５は飾り部材であり、この飾り部材５は円板状のもので、屋外側面が飾り面となり、屋内側面のほぼ中央部より屋内方向に向けて棒状体が設けられ、この棒状体の先端部が差込部５１になっている。尚、この狭められた間隙２７の幅は、飾り部材５の差込部５１の幅より僅かに狭くされている。
【００１６】
次に、軒樋吊具Ａの施工方法及び作用について説明する。
軒先に、軒樋吊具Ａの取付位置を決める。次に、軒先取付部１の端部の３個の取付孔１１に釘（図示省略）を差し込み、鼻隠し板に釘を打ちつけて、軒先に固定する。次に、この軒先取付部１のほぼ中央上端部より、屋外側に向けて突出している軒樋支持腕２の屋外側耳保持部２１に、軒樋４の屋外側耳４１を嵌め込む。次に、軒樋支持腕２の屋内側耳保持部２２に、軒樋４の屋内側耳４２を差し込んで、軒樋支持具Ａの軒樋支持腕２に軒樋４を取り付ける。
【００１７】
次に、軒先に、飾り部材５の取付位置を決める。所定の取付位置の近傍の軒樋吊具Ａの係合保持部２５に、飾り部材５の差込部５１を、係合保持部２５の突出片２３の先端に設けられた切欠部２４の上端部の両側が相対して円弧状に突出した曲面状になされた開口部２６より差し込み、奥に行くほど狭められた間隙２７に強く押し込み、この間隙２７の奥に曲面状の間隙の距離より大きくなされた略円形状の奥部２８に差し込む。順次、このようにして、必要な箇所に飾り部材５を取り付ける。
【００１８】
このようにすると、屋外側耳保持部２１の屋内側に、係合保持部２５が設けられ、この係合保持部２５は、軒樋支持腕２に立設された突出片２３と、この突出片２３の先端に切欠部２４とが設けられ、この切欠部２４は、両側を相対して円弧状に突出している曲面状にした開口部２６にし、奥に行くほど狭められた間隙２７にし、この間隙２７の奥に曲面状の間隙の距離より大きくなされた略円形状の奥部２８にし、第三製品の差込部を曲面状の間隙２７の距離より飾り部材の第三製品の差込部の幅より僅かに狭くした形状になされているから、屋外側耳保持部２１に軒樋４の屋外側耳４１を取り付けた後に、飾り部材５の第三製品の先端部が棒状になっている差込部を、突出片２３の切欠部２４に差し込んで、間隙２７の狭くなった部分を力強く押し込んで、奥迄しっかりと差し込むことにより、飾り部材５の第三製品を軒樋吊具Ａで係合保持することができると同時に、奥部２８まで差し込まれた飾り部材５の第三製品の差込部は、間隙２７から抜けることなく、しっかりと取り付けられる。
【００１９】
以上、本発明実施例を図面に基づいて説明してきたが、具体的な構成はこの実施例の限られるものではなく本発明の要旨を逸脱しない範囲の設計変更等があっても本発明に含まれる。
【００２０】
【発明の効果】
以上、説明してきたように、請求項１記載の本発明は、屋外側耳保持部の屋内側に、係合保持部が設けられているから、屋外側耳保持部に軒樋の屋外側耳を取り付けた後でも、屋外側耳保持部の屋内側にある係合保持部に飾り部材等の第三製品を係合保持させて、取り付けることができる。
【００２１】
また、係合保持部が、屋外側耳保持部の屋内側の軒樋支持腕に一体に立設された突出片と、この突出片の先端に設けられた切欠部とからなるから、飾り部材等の第三製品の差込部を棒状にし、この差込部を、突出片の切欠部の奥部まで、しっかりと差し込むことにより、飾り部材等の第三製品を軒樋吊具に簡単に係合保持させることができる。
【００２２】
更に、この切欠部の形状が、両側を相対して円弧状に突出している曲面状にし、奥に行くほど狭め、その奥にこの曲面状の間隙の距離より大きい径の略円形状の切欠にしているから、曲面状の間隙の距離を飾り部材の第三製品の差込部の幅より僅かに狭くした形状にすると、屋外側耳保持部に軒樋の屋外側耳を取り付けた後に、飾り部材等の第三製品の棒状になっている差込部を、突出片の切欠部に差し込んで、間隙の狭くなった部分を力強く押し込んで、奥迄しっかりと差し込むことにより、飾り部材の第三製品を軒樋吊具で係合保持することができると同時に、奥部まで差し込まれた飾り部材の第三製品の差込部は、間隙から抜けることなく、しっかりと取り付けることができる。
【００２３】
【図面の簡単な説明】
【図１】 本発明の一実施例を示すもので、（イ）は軒樋吊具の斜視説明図、（ロ）は軒樋吊具の断面図、（ハ）は（イ）のＸ部拡大説明図である。
【図２】 （イ）は飾り部材と軒樋吊具の斜視説明図、（ロ）は飾り部材を軒樋吊具に取り付けた状態を示す斜視説明図である。
【符号の説明】
Ａ  軒樋支持具
１  軒先取付部
１１  取付孔
２  軒樋支持腕
２１  屋外側耳保持部
２２  屋内側耳保持部
２３  突出片
２４  切欠部
２５  係合保持部
２６  開口部
２７  間隙
２８  奥部
４  軒樋
４１  屋外側耳
４２  屋内側耳
５  飾り部材
５１  差込部
【図１】
0003707865.tif 000002
【図２】
0003707865.tif 000003